(57)【要約】【課題】  室内全体を明るくする天井照明器具を使用しないパーソナル照明を前提とし、オフィス等に設置したデスクシステムに設ける照明装置であって、個々の利用者が着席したデスクの利用エリアを照明し、節電と利用者の仕事や学習効率の向上の両立を図ることが可能な照明装置を提供する。【解決手段】  デスク１の利用エリア後部に支持フレーム３を立設し、支持フレームの中段位置に、下向きに照らすタスク照明４を設けるとともに、上段位置にアンビエント照明５を設け、更に支持フレームの下部位置に面発光するパネル照明６を略垂直に設け、各照明を独立して調光可能とした。タスク照明、アンビエント照明及びパネル照明は、照度と色温度を調節可能な光源を用いている。【選択図】        図１
2011108428.tif 000002
【特許請求の範囲】
【請求項１】
デスクの利用エリア後部に支持フレームを立設し、該支持フレームの中段位置に、下向きに照らすタスク照明を設けるとともに、上段位置にアンビエント照明を設け、更に前記支持フレームの下部位置に面発光するパネル照明を略垂直に設け、各照明を独立して調光可能としたことを特徴とする照明装置。
【請求項２】
前記アンビエント照明には、天井を照らす上照明部と前記タスク照明と共に利用エリアを照らす下照明部を備えている請求項１記載の照明装置。
【請求項３】
前記タスク照明、アンビエント照明及びパネル照明は、照度と色温度を調節可能な光源を用いている請求項１又は２記載の照明装置。
【請求項４】
前記タスク照明及びアンビエント照明は、所定長さにユニット化し、デスクの利用エリアの広さに応じて複数ユニットを列設して使用する請求項１〜３何れかに記載の照明装置。
【請求項５】
前記支持フレームの各利用エリア毎に制御パネルを設け、該制御パネルに内蔵した受信制御手段と利用者が携えている個人識別手段とが短距離無線通信プロトコルを用いて通信し、利用者が特定の利用エリアに接近すると、該利用エリアの受信制御手段が、個人識別手段から発信したＩＤ情報を取得し、このＩＤ情報をサーバに送ると、該サーバの記憶手段に予め記憶させておいた利用者毎の照明設定情報を、特定の利用エリアに対応する前記タスク照明、アンビエント照明及びパネル照明の駆動制御手段に送り、各照明を照明設定情報に基づいて点灯する請求項１〜４何れかに記載の照明装置。
【請求項６】
前記支持フレームの各利用エリア毎に制御パネルを設け、該制御パネルに前記タスク照明、アンビエント照明及びパネル照明の駆動制御手段を手動で調光するための手動操作手段を設けた請求項１〜４何れかに記載の照明装置。
【発明の詳細な説明】
【技術分野】
【０００１】
本発明は、照明装置に係わり、更に詳しくはオフィス等に構築するネットワーク型の照明装置に関するものである。
【背景技術】
【０００２】
近年、省エネルギーの観点から白熱灯から蛍光灯へと切り換えが進み、更に消費電力が小さく且つ調光可能な発光ダイオード（ＬＥＤ）照明の採用も広がりつつある。オフィス照明においても天井に設けた照明器具で部屋全体を明るくするやり方から、必要最小限の空間を必要最小限の明るさに照らすコンセプトの提案もなされてきている。
【０００３】
しかし、節電のために、仕事の効率を無視して、照らす範囲や照度を制限することは本末転倒である。照らす場の使用シーンに応じて最適な照度と色温度に設定すべきであり、その上で節電を図るべきである。デスクワークの場合、机上面のみ所定の照度があれば仕事は可能であるが、机上面以外の目に入る空間が極端に暗い場合は、寂しく、不安な気分になるものである。
【０００４】
従来から机上の照明装置として、特許文献１には、相対向する机の中間に略Ｔ字形の支持アームを立設し、該支持アームでそれぞれの机の上位に位置した照明器具を支持し、該照明器具は机上面を照明する下照明部と天井面を照明する上照明部とを備えた机上照明装置が開示されている。また、特許文献２には、カウンター等の被照射面の後部に面発光照明装置を略垂直に配置した壁型照明が開示されている。しかし、従来の机上照明装置は、天井に設けた天井照明器具が存在することを前提としており、天井照明と合わせて机上面の明るさを確保するようにしていた。ここで、節電のため、天井照明を消すこともあるが、机上に設けた照明装置のみでは、比較的照明装置の高さが低く、距離が近いので、手や頭による影が鮮明に生じてデスクワークの妨げになる。また、正面から照らす壁型照明の場合には、影の発生問題はないものの、明るくすると眩しくなるので、照度を高めることはできず、主照明器具とはならない。
【０００５】
一方、照明装置の制御に、電波や赤外線による近距離無線通信を用いることも公知である。また、赤外線センサー等の人感センサーにより自動感知して照明器具を点灯、消灯する照明システムも公知である。更に、特許文献３には、照明を操作するための信号を送信するコントローラと、コントローラからの信号を受信して光源を制御する制御部を内蔵した複数の照明器具とで構成される照明装置において、コントローラから照明の状態を設定あるいは変更する操作信号を第１の照明器具に無線で伝送し、第１の照明器具はコントローラから受信した信号により自己の光源を制御するとともに、操作信号を第２の照明器具に無線で伝送し、第２の照明器具は第１の照明器具から受信した信号により自己の光源を制御する照明装置が開示されている。そして、コントローラと第１の照明器具及び第１の照明器具と第２の照明器具は特定小電力無線を用いて通信する。
【先行技術文献】
【特許文献】
【０００６】
【特許文献１】実開昭６１−１０２１３４号公報
【特許文献２】特開２００１−２５６８１６号公報
【特許文献３】特開２００２−２８９３６９号公報
【発明の概要】
【発明が解決しようとする課題】
【０００７】
そこで、本発明が前述の状況に鑑み、解決しようとするところは、室内全体を明るくする天井照明器具を使用しないパーソナル照明を前提とし、オフィス等に設置したデスクシステムに設ける照明装置であって、個々の利用者が着席したデスクの利用エリアを照明し、節電と利用者の仕事効率の向上の両立を図ることが可能な照明装置を提供する点にある。
【課題を解決するための手段】
【０００８】
本発明は、前述の課題解決のために、デスクの利用エリア後部に支持フレームを立設し、該支持フレームの中段位置に、下向きに照らすタスク照明を設けるとともに、上段位置にアンビエント照明を設け、更に前記支持フレームの下部位置に面発光するパネル照明を略垂直に設け、各照明を独立して調光可能としたことを特徴とする照明装置を構成した（請求項１）。
【０００９】
ここで、前記アンビエント照明には、天井を照らす上照明部と前記タスク照明と共に利用エリアを照らす下照明部を備えていることが好ましい（請求項２）。
【００１０】
また、前記タスク照明、アンビエント照明及びパネル照明は、照度と色温度を調節可能な光源を用いていることがより好ましい（請求項３）。
【００１１】
また、前記タスク照明及びアンビエント照明は、所定長さにユニット化し、デスクの利用エリアの広さに応じて複数ユニットを列設して使用することも好ましい（請求項４）。
【００１２】
そして、前記支持フレームの各利用エリア毎に制御パネルを設け、該制御パネルに内蔵した受信制御手段と利用者が携えている個人識別手段とが短距離無線通信プロトコルを用いて通信し、利用者が特定の利用エリアに接近すると、該利用エリアの受信制御手段が、個人識別手段から発信したＩＤ情報を取得し、このＩＤ情報をサーバに送ると、該サーバの記憶手段に予め記憶させておいた利用者毎の照明設定情報を、特定の利用エリアに対応する前記タスク照明、アンビエント照明及びパネル照明の駆動制御手段に送り、各照明を照明設定情報に基づいて点灯するのである（請求項５）。
【００１３】
あるいは、前記支持フレームの各利用エリア毎に制御パネルを設け、該制御パネルに前記タスク照明、アンビエント照明及びパネル照明の駆動制御手段を手動で調光するための手動操作手段を設けたのである（請求項６）。
【発明の効果】
【００１４】
以上にしてなる請求項１に係る発明の照明装置は、デスクの利用エリア後部に支持フレームを立設し、該支持フレームの中段位置に、下向きに照らすタスク照明を設けるとともに、上段位置にアンビエント照明を設け、更に前記支持フレームの下部位置に面発光するパネル照明を略垂直に設け、各照明を独立して調光可能としたので、高さが異なるタスク照明とアンビエント照明、更にパネル照明によってデスクの利用エリア、つまり天板上面を所定の照度で照らすことができるとともに、利用者の頭や手による影の発生を極力少なくすることができ、またパネル照明によって視界が明るくなり、最小限の照度で最大限明るく感じさせることができ、節電に寄与するのである。このように、パネル照明は、利用者の正面に位置して視界に直接光が入るので、このパネル照明を調光すれば、照明環境の変化を利用者に強く認識させることができる。つまり、パネル照明が、利用エリアの照明環境を創出するために主要な役目を果たすのである。また、全ての照明が支持フレームに集約されているので、既存のデスクシステムにも、後施工で支持フレームを天板後部の側方に立設することにより、容易に照明装置を設けることができる。
【００１５】
請求項２によれば、前記アンビエント照明には、天井を照らす上照明部と前記タスク照明と共に利用エリアを照らす下照明部を備えているので、上照明部で天井を照らして利用エリア上方の天井面を明るくすることにより、残業時に他の場所の照明が消えても寂しさ感を和らげることができ、下照明部で下方の利用エリアをタスク照明と協同して異なる角度から照らすことができる。
【００１６】
請求項３によれば、前記タスク照明、アンビエント照明及びパネル照明は、照度と色温度を調節可能な光源を用いているので、仕事の内容に応じて最適な照度と色温度に設定することができ、特にパネル照明は視界に確実に入るので利用者に効果的に照明環境の変化を認識させることができる。
【００１７】
請求項４によれば、前記タスク照明及びアンビエント照明は、所定長さにユニット化し、デスクの利用エリアの広さに応じて複数ユニットを列設して使用するので、デスクの大きさに応じてタスク照明及びアンビエント照明の横方向の長さを最適に設定することができ、また規格の異なる他社メーカーのデスクにも容易に適用することができる。また、ユニット化することにより、同一製品を大量生産することにより、コスト低減化が図れるのである。
【００１８】
請求項５によれば、利用者がオフィス内に設置した特定のデスクの利用エリアに接近すると、利用者を自動的に認識し、その利用者が好みに応じて設定した条件で各照明を点灯することができ、それによって利用エリアで効率良く仕事をすることができ、また利用者が席を離れると、それを認識して各照明を自動的に消灯することができる。
【００１９】
請求項６によれば、利用者が特定のデスクに着座し、その利用エリアの照明を好みに応じて手動で調光することができる。また、パソコンを使用する場合は、モニターが照明の働きをするとともに、背後が明る過ぎるとモニターが見ずらくなるので、パネル照明の照度を落すといった調光を行うことができる。
【図面の簡単な説明】
【００２０】
【図１】本発明の照明装置を４席の対向島型デスクシステムに設けた実施形態を示す斜視図である。
【図２】同じく平面図である。
【図３】同じく正面図である。
【図４】デスクシステムに後付けで支持フレームを取付ける実施形態を示す斜視図である。
【図５】タスク照明を示し、（ａ）は平面図、（ｂ）は拡大側面図である。
【図６】アンビエント照明を示し、（ａ）は平面図、（ｂ）は拡大側面図である。
【図７】パネル照明を示し、（ａ）は正面図、（ｂ）は拡大側面図である。
【図８】照度と色温度に対する特徴的な範囲と官能評価の結果を示す説明図である。
【図９】４席の対向島型デスクシステムに本発明の照明装置を適用した場合の各照明と駆動制御手段の関係を示す説明図である。
【図１０】本発明の照明装置の第１の照明制御システムを示す説明図である。
【図１１】本発明の照明装置の第２の照明制御システムを示す説明図である。
【図１２】本発明の照明装置の制御系と社内ネットワークとを連係させたプレゼンス制御システムの概要を示す説明図である。
【発明を実施するための形態】
【００２１】
次に、添付図面に示した実施形態に基づき、本発明を更に詳細に説明する。図１〜図３は本発明の照明装置を４席の対向島型デスクシステムに設けた実施形態を示し、図中符号１はデスクシステム、２は照明装置、３は支持フレーム、４はタスク照明、５はアンビエント照明、６はパネル照明をそれぞれ示している。本実施形態は、オフィスで使用することを前提として記載するが、本発明は広く一般的に人が多く集まる場所において個人が使用するスペースが特定される場合に適用できるものである。
【００２２】
４席の対向島型デスクシステム１は、左右に２席を並べて設け、あるいは左右に２席分の横幅の天板７を設け、これを反対側にも対称に対向させて設けたものであるが、本発明では具体的構造の限定は不要である。図１〜図３に示した実施形態は、前記デスクシステム１には、前後中央部の境界線上に支柱を立起状態で取付けるための構造が設けられ、それを利用して前記支持フレーム３が立設されるものである。尚、前記デスクシステム１に、支柱を立起状態で取付けるための構造が設けられてない場合には、図４に示すように、デスクシステム１の天板後部の側方、前述の４席の対向島型デスクシステム１では脚部８の前後中間部の側方に後付けで立設し、該脚部８に連結具等によって固定する。あるいは、前記支持フレーム３自体が自立可能な構造であっても良い。本発明で利用エリアとは、各席に対応する天板７の上面を指している。従って、前記支持フレーム３は利用エリア後部に立設されることになる。
【００２３】
前記支持フレーム３は、両端部の端支柱９，９と中間の中間支柱１０及びそれらの上端間に連結する上板１１とで概略構成し、中間部に前記端支柱９，９及び中間支柱１０を囲むように四角形状の支持枠１２を設けている。
【００２４】
そして、本発明の照明装置２は、前記支持フレーム３の中段位置の支持枠１２に、下向きに照らすタスク照明４を設けるとともに、上段位置の上板１１にアンビエント照明５を設け、更に前記支持フレーム３の下部位置で端支柱９と中間支柱１０の間に面発光するパネル照明６を略垂直に設けて構成している。本実施形態では、各照明の光源は、照度と色温度を調節できるように多数の発光ダイオード（ＬＥＤ）を用いて構成している。
【００２５】
前記タスク照明４は、図１〜図５に示すように、長さが３０ｃｍのタスク照明ユニット１３，…を複数直列に接続し、各タスク照明ユニット１３を独立して仰角を変更可能に前記支持枠１２に取付けて構成している。前記タスク照明４は、４つの利用エリアに対応して前記支持枠１２の前後左右にそれぞれ４つ設けている。
【００２６】
前記アンビエント照明５は、図１、図２及び図６に示すように、天井を照らす上照明部５Ａと前記タスク照明４と共に利用エリアを照らす下照明部５Ｂを備えている。このアンビエント照明５の上照明部５Ａ及び下照明部５Ｂも前記タスク照明４と同様に、長さが３０ｃｍの上照明部ユニット１４，…及び下照明部ユニット１５，…を複数直列に接続し、前記上板１１に取付けて構成している。前記アンビエント照明５は、４つの利用エリアに対応して前記上板１１の前後左右にそれぞれ４つ設けている。
【００２７】
前記パネル照明６は、図１、図３及び図７に示すように、パネル枠１６を介して前記支持フレーム３の下部の端支柱９と中間支柱１０間に装着している。本実施形態では、前記パネル枠１６に、２枚のパネル照明６，６を前後に背面向かいで間隔を置いて装着している。前記パネル照明６の構造は限定されないが、拡散板の両側にＬＥＤを配置して内部に光を入射し、拡散板の背面には反射シートを貼り付けて、光を前方へ反射して面発光するようにしたものである。本実施形態では、各利用エリアに一枚のパネル照明６としたが、３０ｃｍ幅にユニット化したものを複数枚横に並べて構成しても良いが、その場合には、各ユニットの拡散板の上下にＬＥＤを配置することが左右の連続性において望ましい。当該パネル照明６は、利用者の正面に位置して視界に直接光が入るので、このパネル照明６を調光すれば、照明環境の変化を利用者に強く認識させることができる。つまり、パネル照明６が、利用エリアの照明環境を創出するために主要な役目を果たすのである。
【００２８】
また、前記パネル枠１６の下縁部は制御パネル１７となっており、前記支持フレーム３に取付けた状態では、該制御パネル１７は天板７の上面に沿って位置する。前記制御パネル１７には、前記タスク照明４、アンビエント照明及びパネル照明６をそれぞれ手動で調光するための手元操作部１８を設けている。尚、前記制御パネル１７は、前記パネル枠１６とは別に設けて前記支持フレーム３の下部に設けても良い。
【００２９】
前記タスク照明４及びアンビエント照明５、あるいはパネル照明６をユニット化する場合、長さ又は横幅を３０ｃｍとしたが、この寸法に限定されず、２０〜４０ｃｍの範囲に設定する。また、光源をＬＥＤとしたが、調光可能なものであれば採用でき、例えば、ＥＬ照明等も利用できる。また、アンビエント照明５には蛍光灯を利用することも可能である。調光が難しい光源を用いた場合にも、複数のユニットで照明を構成している場合は、点灯するユニットの数を調整して照度を変化させることができる。
【００３０】
尚、前記パネル照明６を用いずに、その位置にタスク照明４の光を反射させ、あるいは散乱させるパネル面を置き、該パネル面を間接照明として利用し、色温度を視認させる方法もある。
【００３１】
本実施形態では、照度の調節範囲は、２００〜２０００（ｌｘ）とし、色温度の調節範囲は、２８００〜５０００（Ｋ）とする。Ｋは絶対温度である。
【００３２】
ここで、照度とは、ある表面での光束の密度であり、国際単位系ではルクス（ｌｘ）で表す。尚、光束とは、視感度で評価した放射エネルギーの流れの速さのことであり、ルーメン（ｌｍ）で測る。従って、ｌｘ＝ｌｍ／ｍ2である。一般的には、市販の照度計で測定することができる。
【００３３】
一方、色温度とは、固体表面の放射について、本質的にその固体の表面からの放射エネルギーと同じスペクトル分布を持つ放射エネルギーを出している黒体の温度のことである。言い換えれば、色温度は、表現しようとする光の色をある温度の黒体から放射される光の色と対応させ、その時の黒体の温度をもって色温度とするのである。具体的には、放射のスペクトル分布と黒体の温度とをプランクの輻射式で対応づけるのである。例えば、朝日や夕日の色温度は約２０００（Ｋ）であり、普通の太陽光線は５０００〜６０００（Ｋ）ぐらいである。一般的には、市販の色温度計で測定することができる。
【００３４】
そして、色温度をＸ軸、照度をＹ軸とした色温度−照度空間において、照度の低い範囲Ｌと高い範囲Ｈ、色温度の低い範囲Ｌと高い範囲Ｈに基づいて、ＬＬ、ＬＨ、ＨＬ、ＨＨの４つの領域を定義する。ここで、例えば、ＬＨとは、色温度が低く、照度が高い領域のことを示す。色温度の低い範囲と高い範囲の境界を約４０００（Ｋ）とし、照度の低い範囲と高い範囲の境界を約１０００（ｌｘ）とすると、図８に示すように、各領域の特徴が比較的分類し易い。しかし、これらの境界の前後で明確な変化があるのではなく、それぞれ色温度では約５００（Ｋ）の幅、照度では約４００（ｌｘ）の幅を持たせるべきである。
【００３５】
図８は、４つの領域における官能評価の結果を示し、各領域を次のように特徴づける。ＬＬは、「リラックスしている。時間的にゆとりを感じている。だらだらしている。消極的。」といった評価が得られているので、「ユッタリ」領域と定義する。また、ＬＨは、「仕事に集中できる。意見を交わしやすい。発言しやすい。積極的。アイデアがわいてくる。」といった評価が得られているので、「イキイキ」領域と定義する。ＨＨは、「意見が交わしやすい。焦りを感じる。あまり心地よくない。」といった評価が得られているので、「パキパキ」領域と定義する。ＨＬは、「特徴がない。（動きがにぶくなる。だらだらしている。）」といった評価であったので、通常では使用しない。
【００３６】
次に、前記タスク照明４、アンビエント照明５及びパネル照明６を調光するための照明制御システムについて説明する。各照明４，５，６には、複数種類のＬＥＤのそれぞれ発光強度を調節できる駆動制御手段１９が設けられている。図９には、前記デスクシステム１の４つの席をそれぞれデスク０１、デスク０２、デスク０３、デスク０４とし、各照明４，５，６に接続した駆動制御手段１９をＳ０１〜Ｓ１２として示している。本実施形態では、前後に対向する二つのアンビエント照明５，５の上照明部５Ａ，５Ａと下照明部５Ｂ，５Ｂをそれぞれ共通の駆動制御手段１９で駆動させているが、別々に駆動制御手段１９で独立駆動させることも可能である。
【００３７】
手動で各照明４，５，６を調光する場合には、各駆動制御手段１９に接続した手元操作部１８，…でＬＥＤに印加する電流を制御して発光強度を変化させるのである。
【００３８】
次に、通信ネットワークを用いて各照明４，５，６を調光する照明制御システムを説明する。それには、各駆動制御手段１９，…の制御を、短距離無線通信を利用して行う。短距離無線通信としてZigBee、FelicaやBluetoothがあるが、本実施形態ではZigBeeを採用した。
【００３９】
ZigBeeは、最大伝送速度が２５０kbpsで、Bluetoothより低速であるが、省電力、低コストといった特徴がある。更に、ZigBeeは、マルチホップによるメッセージ伝送が可能で、ネットワークの拡張性にも優れていて、また同時接続数が６万５０００と多いことが特徴である。そして、メッシュ型ネットワークを構成でき、アクセスポイントがなくても複数の機器と通信・中継が可能である。そのため、本実施形態では、短距離無線通信としてZigBeeを採用した。
【００４０】
ZigBeeのネットワークは、ネットワークを構築し、制御する役割を担う「ZigBeeコーディネータ」（以下単にZCと表示する）、マルチホップによるメッセージ伝送を行う「ZigBeeルータ」（以下単にZRと表示する）、任意に導入する「ZigBeeエンドデバイス」（以下単にZEDと表示する）の３種類のデバイスで構成される。更に詳しくは、ZCは、ZigBeeネットワーク毎に１つだけ存在し、ネットワークの構築を開始するデバイスであり、ネットワークに参加するデバイスからの要求に応じて、そのデバイスとの接続を確立するとともに、ZRとしての動作も行う。ZRは、ZC若しくは既にネットワークに接続しているZRに接続し、マルチホップ・ルーティングのためのメッセージ転送を行うデバイスであり、ネットワークに参加するデバイスを接続する役割も担う。ZEDは、ZC若しくは既にネットワークに接続しているZRに接続するが、ネットワークに参加するデバイスを接続する役割もマルチホップ・ルーティングのためのメッセージ転送も行わないデバイスである。
【００４１】
図１０は、ZigBeeを用いた第１の照明制御システムを示し、前記タスク照明４、アンビエント照明５の上照明部５Ａ、下照明部５Ｂ及びパネル照明６の各駆動制御手段１９（図示せず）に通信制御手段２０，…としてZRを接続するとともに、サーバ２１に接続した基幹スイッチ２２にネットワーク構築手段２３としてのZCを有線ＬＡＮで接続し、各ZRとZCとの間で短距離無線通信を確立している。また、各利用エリアには、受信制御手段２４としてZRを配置し、利用者が携帯している個人識別手段２５となるZEDとの間で近距離無線通信を確立し、ＩＤ情報を個人識別手段２５から取得するようになっている。各ZRには、それぞれ特有なアドレスが割り当てられ、前記受信制御手段２４もそれぞれ利用エリアに１対１で対応している。従って、どの受信制御手段２４と利用者の個人識別手段２５（ZED）との間で通信が確立したかを見れば、利用者がどの利用エリアに接近したかを検出することができる。前記基幹スイッチ２２は、社内ネットワークに接続されている。
【００４２】
そして、利用者が特定の利用エリアに接近すると、該利用エリアの受信制御手段２４が、個人識別手段２５から発信したＩＤ情報を取得し、このＩＤ情報をサーバ２１に送ると、該サーバ２１の記憶手段に予め記憶させておいた利用者毎の照明設定情報を、特定の利用エリアに対応する前記タスク照明４、アンビエント照明５及びパネル照明６の駆動制御手段１９に送り、各照明を照明設定情報に基づいて点灯するのである。
【００４３】
この場合、前記駆動制御手段１９は、各照明と一体として構成することも、図１０の照明制御システムの場合には前記通信制御手段２０と合わせて一つの端末として構成することも可能である。また、所定のワーキンエリアに居る利用者が、各照明の設定を手元操作部１８で変更した場合には、その変更した照明設定情報を最新のデータとして前記サーバ２１の記憶手段に記憶する。この照明設定情報は、複数種類あってもよく、それらを区別してサーバ２１の記憶手段に記憶し、好みに応じて照明設定情報を選択できるようにすることも好ましい。
【００４４】
図１１は、ZigBeeを用いた第２の照明制御システムを示し、前記タスク照明４、アンビエント照明５の上照明部５Ａ、下照明部５Ｂ及びパネル照明６の各駆動制御手段１９（図示せず）に１つの通信制御手段２０としてZRを接続するとともに、サーバ２１に接続した基幹スイッチ２２にネットワーク構築手段２３としてのZCを有線ＬＡＮで接続し、各ZRとZCとの間で短距離無線通信を確立している。この場合、利用者が携帯している個人識別手段２５となるZEDとは、その利用エリアに接近した際に、対応するZRと通信を確立することになる。このZRは、前記受信制御手段２４としての機能も果たしている。
【００４５】
前記サーバ２１の記憶手段には、利用者毎の照明設定情報を予め記憶させている。そして、利用者が特定の利用エリアに接近すると、該利用エリアの受信制御手段２４が、個人識別手段から発信したＩＤ情報を取得し、このＩＤ情報をサーバ２１に送ると、該サーバの記憶手段から利用者の照明設定情報を、特定の利用エリアに対応する前記タスク照明４、アンビエント照明５及びパネル照明６の通信制御手段２０を介して駆動制御手段１９に送り、各照明を照明設定情報に基づいて点灯するのである。利用者がどの利用エリアに移っても、その利用者の照明設定情報に基づいて各照明を点灯することができる。
【００４６】
図１２は、利用者のＩＤ情報と位置情報に基づくプレゼンス制御システムの概要を示している。前述の照明装置２の照明制御システムも、利用者の位置を特定し、その位置情報を利用して制御するものであり、サーバ２１に利用者の位置情報を記憶している。この場合、位置情報を時間履歴として記憶するとより有効な活用ができる。前記基幹スイッチ２２は基幹ネットワーク２６に接続され、更にインテリジェントスイッチ２７が接続され、様々な通信手段を介してパソコン２８，２９，３０に接続されている。例えば、インテリジェントスイッチ２７とパソコン２８とは有線ＬＡＮで接続され、パソコン２９とはターミナルアダプター３１を介して無線ＬＡＮで接続され、パソコン３０とはＬＡＮシート３２（「ＬＡＮシート」はイトーキの登録商標）の上に乗せて接続した無線ターミナル３３と無線で接続されている。ここで、「ＬＡＮシート」とは、二次元通信を行う二次元ＬＡＮシステムであり、上面の任意の位置に載せた通信機器との間でエバネッセント波を利用して接続を確立するものである。また、前記基幹スイッチ２２には、ゲートやドアに設けたFelica系カードリーダ３４が接続され、Felicaカード３５による個人認証を行うようにしたセキュリティ管理システムがつながっている。
【００４７】
前記インテリジェントスイッチ２７にＬＡＮ接続した各パソコン２８，２９，３０は、ＳＮＭＰによって稼動状態を監視し、各パソコン２８，２９，３０が個人使用のものであれば、間接的に在席者の位置情報を取得することができる。また、パソコンの稼動状況は、スクリーンセーバーの情報をＷＭＩ(Windows Manager Instrumentation)(Windowsはmicrosoft社の登録商標)でもＬＡＮ経由で取得し、サーバ２１へ送ることができる。それにより、利用者のパソコンの作業内容を判断し、パソコン作業以外の時は照明装置２を明るめに設定し、パソコン作業の時は暗い設定に自動的に調節するというようなこともできる。また、前記各パソコン２８，２９，３０は、ネットワークを介して前記サーバ２１に接続されているので、個人認証を行った後、記憶手段に記憶されている照明設定情報を読み出し、適宜書き換えて当該ワーキンエリアの照明装置２を調光することができ、手元操作部１８と同様に書き換えた照明設定情報をサーバ２１に記憶させておくことができる。また、無線ＬＡＮの代わりに、照明装置２のＬＥＤ光源に高周波信号を重畳させて発光し、光受信機器で検出する光通信によるＬＡＮを構築することも可能である。
【００４８】
更に、セキュリティ管理システムとプレゼンス制御システムを連動させ、入退室の情報と室内の位置情報を連動させて照明を制御することも有効である。つまり、セキュリティ管理システムによる入退室の管理情報を利用すれば、廊下等の共用空間や、室内において必要最小限に設けた照明器具３６の消し忘れを、最後の利用者が退室したときに全て消灯するように制御することができる。また、前述の照明装置２の短距離無線通信が誤作動して、利用者が残っているにも関わらず消灯するような場合でも、セキュリティ管理システムによって利用者が室内に居ることを確認した場合には、照明器具３６は消灯しないようにすることができる。
【００４９】
また、前記サーバ２１でグループウェアが稼動し、利用者のスケジュール管理等を行っている環境では、電話等でコミュニケーションを取りたい相手の現在の居場所が分かり、スケジュールでは会議中になっていても、既に会議が終了し、自席（何れかの利用エリア）に戻っていることを確認できれば、会議終了予定まで待たずに相手に電話等のコミュニケーションを取ることができるので、仕事の効率が良くなる。また、特定の利用者にメッセージを伝えるため、その利用エリアの照明装置２の何れかを視認できる程度に点滅させたりすることができおる。
【００５０】
プレゼンス制御システムは、照明装置２の制御に限らず、利用者の嗜好や属性等の個人情報をサーバ２１に記憶しておき、利用者の位置を検出したときに、その位置で個人情報を利用した機器制御、若しくはサービスを操作することなく提供することが可能である。また、利用者の位置を追跡できるので、利用エリアの消費電力をモニターすることにより、各利用者毎に消費電力を積算して表示装置に表示する、いわゆる「見える化」することができる。勿論、各利用エリア毎の積算消費電力を「見える化」することも可能である。
【００５１】
本発明は、オフィスでの適用のみならず、図書館や自習室等においても適用できるものである。
【符号の説明】
【００５２】
１  デスクシステム
２  照明装置
３  支持フレーム
４  タスク照明
５  アンビエント照明
５Ａ  上照明部
５Ｂ  下照明部
６  パネル照明
７  天板
８  脚部
９  端支柱
１０  中間支柱
１１  上板
１２  支持枠
１３  タスク照明ユニット
１４  上照明部ユニット
１５  下照明部ユニット
１６  パネル枠
１７  制御パネル
１８  手元操作部
１９  駆動制御手段
２０  通信制御手段
２１  サーバ
２２  基幹スイッチ
２３  ネットワーク構築手段
２４  受信制御手段
２５  個人識別手段
２６  基幹ネットワーク
２７  インテリジェントスイッチ
２８，２９，３０  パソコン
３１  ターミナルアダプター
３２  シート
３３  無線ターミナル
３４  カードリーダ
３５  カード
３６  照明器具
【図１】
2011108428.tif 000003
【図２】
2011108428.tif 000004
【図３】
2011108428.tif 000005
【図４】
2011108428.tif 000006
【図５】
2011108428.tif 000007
【図６】
2011108428.tif 000008
【図７】
2011108428.tif 000009
【図８】
2011108428.tif 000010
【図９】
2011108428.tif 000011
【図１０】
2011108428.tif 000012
【図１１】
2011108428.tif 000013
【図１２】
2011108428.tif 000014